【事件の表示】
　特願２０１４−１４３７９４「遊技機」拒絶査定不服審判事件〔平成２６年１２月　４日出願公開、特開２０１４−２２３４３２〕について、次のとおり審決する。
【結　論】
　本件審判の請求は、成り立たない。
【理　由】
第１　手続の経緯
　本願は、平成１９年９月２０日を出願日とする特願２００７−２４４４６４号の一部を平成２５年１月９日に新たな特許出願である特願２０１３−　２１７１号とし、さらにその一部を平成２６年７月１４日に新たな特許出願としたものであって、平成２７年７月２１日付けで拒絶理由通知がなされ、平成２７年９月２８日付けで意見書及び手続補正書が提出され、平成２８年３月１７日付け（発送日：平成２８年３月２２日）で拒絶査定がなされ、これに対して平成２８年５月２６日に拒絶査定不服審判が請求されるとともに手続補正がなされ、これに対して平成２８年７月６日付けで前置報告がなされたものである。
第２　平成２８年５月２６日付けの手続補正についての補正却下の決定
　
［補正却下の決定の結論］
　平成２８年５月２６日付けの手続補正（以下、「本件補正」という）を却下する。
［理由］
　１．本件補正の概要
　本件補正は、特許請求の範囲の請求項１の記載の補正を含む補正であり、本件補正により、特許請求の範囲の請求項１の記載は、
　補正前（平成２７年９月２８日付け手続補正）の
「【請求項１】
　始動条件の成立に基づいて抽選を行う抽選手段と、
　所定の表示手段において図柄を変動表示させた後に該図柄を停止表示させるとともに、前記抽選の結果を表示可能な表示制御手段と、
　前記抽選の結果が大当たりであるときに、前記抽選の結果が大当たりである旨が表示された後に大当たり遊技を実行する大当たり遊技実行手段と、
　前記抽選の結果が表示されるよりも前に、前記図柄の変動表示と停止表示とが行われる期待演出が複数回行われる連続期待演出の実行判定を行う連続期待演出実行判定手段と、
　を備え、
　前記表示制御手段は、
　前記期待演出が行われているときに前記抽選の結果が大当たりである可能性がある旨を示唆する示唆演出を行いうる示唆演出実行手段を有し、
　前記示唆演出には、前記抽選の結果が大当たりである可能性が異なる複数の示唆演出態様が含まれており、
　前記示唆演出実行手段は、
　前記連続期待演出における一の期待演出において、前記抽選の結果が大当たりである可能性を示す第１示唆演出を行う第１示唆演出実行手段、及び
　前記連続期待演出における前記一の期待演出において前記第１示唆演出が行われたときに、該一の期待演出の後に行われる他の期待演出において、前記抽選の結果が大当たりである可能性が前記第１示唆演出と同じ又は該第１示唆演出よりも高い第２示唆演出を行う第２示唆演出実行手段を有し、
　前記第１示唆演出が行われた前記一の期待演出の後の他の期待演出において前記抽選の結果が大当たりである可能性が前記第１示唆演出と同じ又は該第１示唆演出よりも高い第２示唆演出を行うといった一連の演出を、前記期待演出が連続して行われる連続期待演出の範囲において所定の上限回数まで行なうことが可能であるとともに、該上限回数が前記抽選の結果が大当たりであるときとはずれであるときとで異なるように構成されてなる
　ことを特徴とする遊技機。」
から、
　補正後（本件補正である平成２８年５月２６日付け手続補正）の
「【請求項１】
　始動条件の成立に基づいて抽選を行う抽選手段と、
　所定の表示手段において図柄を変動表示させた後に該図柄を停止表示させるとともに、前記抽選の結果を表示可能な表示制御手段と、
　前記抽選の結果が大当たりであるときに、前記抽選の結果が大当たりである旨が表示された後に大当たり遊技を実行する大当たり遊技実行手段と、
　を備え、
　前記表示制御手段は、
　前
となる
性を
しう
一以上実行す
　前記示唆演出には、前記抽選の結果が大当たり
とな
　前記示唆演出実行手段は、
　前
とな
が所定の期待度である旨を示唆する
　前
所定の期待度
示唆
次
新たな示唆
として、前回行われた示唆演出と同じ期待度の示唆演出と、前回の示唆演出の期待度
期待度の
い示
とのうちいずれかを行うことにより、前回行われた示唆演出における期待度よりも低い期待度の示唆演出が行われないようにする
　前記示唆演出が複数回行われたときに、該示唆演出が複数回行われたことによって前記大当たりとなる可能性が前記所定の期待度より高められる場合と、該示唆演出が複数回行われたにもかかわらず前記所定の期待度が維持される場合とが生じうるようにした
　ことを特徴とする遊技機。」
へ補正された（下線は補正箇所を示す）。
　２．補正の適否
　（１）補正事項
　本件補正により、
　（ア）補正前の請求項１の「示唆演出実行手段」について、「期待演出が行われているときに」という記載を削除する補正（以下、補正事項１という。）、
　（イ）補正前の請求項１の「前記抽選の結果が大当たりである可能性がある旨を示唆する示唆演出を行いうる」を「前記抽選の結果が大当たり
となる
性を
しう
一以上実行す
　（ウ）補正前の請求項１の「前記抽選の結果が表示されるよりも前に、前記図柄の変動表示と停止表示とが行われる期待演出が複数回行われる連続期待演出の実行判定を行う連続期待演出実行判定手段」を削除する補正（以下、補正事項３という。）、
　（エ）補正前の請求項１の「第１示唆演出実行手段」について、「示唆演出」を特定するための「前記連続期待演出における一の期待演出において」という記載を削除する補正（以下、補正事項４という。）、
　（オ）補正前の請求項１の「前記抽選の結果が大当たりである可能性を示す第１示唆演出」を「
前
とな
が所定の期待度である旨を示唆する
　（カ）補正前の請求項１の「第２示唆演出実行手段」について、「前記連続期待演出における前記一の期待演出において前記第１示唆演出が行われたときに」という記載を「
前
所定の期待度
　（キ）補正前の請求項１の「該一の期待演出の後に行われる他の期待演出において、前記抽選の結果が大当たりである可能性が前記第１示唆演出と同じ又は該第１示唆演出よりも高い第２示唆演出を行う」という記載を「該
示唆
次
新たな示唆
として、前回行われた示唆演出と同じ期待度の示唆演出と、前回の示唆演出の期待度
期待度の
い示
とのうちいずれかを行うことにより、前回行われた示唆演出における期待度よりも低い期待度の示唆演出が行われないようにする
　（ク）補正前の請求項１の「前記第１示唆演出が行われた前記一の期待演出の後の他の期待演出において前記抽選の結果が大当たりである可能性が前記第１示唆演出と同じ又は該第１示唆演出よりも高い第２示唆演出を行うといった一連の演出を、前記期待演出が連続して行われる連続期待演出の範囲において所定の上限回数まで行なうことが可能であるとともに、該上限回数が前記抽選の結果が大当たりであるときとはずれであるときとで異なるように構成されてなる」という記載を削除する補正（以下、補正事項８という。）、
　（ケ）補正前の請求項１の「
前記示唆演出が複数回行われたときに、該示唆演出が複数回行われたことによって前記大当たりとなる可能性が前記所定の期待度より高められる場合と、該示唆演出が複数回行われたにもかかわらず前記所定の期待度が維持される場合とが生じうるようにした
　がなされた。
　（２）補正の根拠
　審判請求人は、平成２８年５月２６日付けの審判請求書の「４．補正の内容及び根拠」において、上記補正のうち、補正事項２の根拠として、出願当初明細書（特に、段落０７５０〜０７５２、０７５５）の記載にもとづくものであり、補正事項７の根拠として、出願当初明細書及び図面の段落０７６７、図１８６等の記載にもとづくものであると主張している。
　また、補正事項５の根拠については明示されていないものの、当該補正事項に関連する補正事項２の根拠と同様の記載に基づくものといえる。
　さらに、上記審判請求書の「（３−３）　本願発明の技術的特徴について」の記載からすると、審判請求人は、補正事項９の根拠として、出願当初明細書及び図面の段落０７６７、図１８６の記載にもとづくものであると主張しているものといえる。
　（３）補正の目的
　まず、補正事項３について検討する。
　補正事項３により、補正前の請求項１に記載の「遊技機」を特定するために必要な事項である「連続期待演出実行判定手段」を削除することで、「連続期待演出の実行判定を行う連続期待演出実行判定手段」を有しないものも含まれることになるから、特許請求の範囲を拡張するものであり、特許法第１７条の２第５項第２号の特許請求の範囲の減縮（請求項に記載した発明を特定するために必要な事項を限定するものであって、その補正前の当該請求項に記載された発明とその補正後の請求項に記載された発明の産業上の利用分野及び解決しようとする課題が同一であるもの）を目的とするものではない。また、補正事項３は、特許法第１７条の２第５項の他の各号に該当するものでもない。したがって、補正事項３は、特許法第１７条の２第５項の規定に適合するものではない。
　さらに、補正事項１，４，６，８について検討する。
　補正事項１により、「示唆演出実行手段」を特定するための「期待演出が行われているときに」という事項、補正事項４により「第１示唆演出実行手段」を特定するための「前記連続期待演出における一の期待演出において」という事項、補正事項６により「第２示唆演出実行手段」を特定するための「該一の期待演出の後に行われる他の期待演出において」という事項、補正事項８により「遊技機」を特定するための「前記第１示唆演出が行われた前記一の期待演出の後の他の期待演出において前記抽選の結果が大当たりである可能性が前記第１示唆演出と同じ又は該第１示唆演出よりも高い第２示唆演出を行うといった一連の演出を、前記期待演出が連続して行われる連続期待演出の範囲において所定の上限回数まで行なうことが可能であるとともに、該上限回数が前記抽選の結果が大当たりであるときとはずれであるときとで異なるように構成されてなる」という事項、をそれぞれ削除することで、「遊技機」の「示唆演出」に関する特許請求の範囲を拡張するものであるから、特許法第１７条の２第５項第２号の特許請求の範囲の減縮（請求項に記載した発明を特定するために必要な事項を限定するものであって、その補正前の当該請求項に記載された発明とその補正後の請求項に記載された発明の産業上の利用分野及び解決しようとする課題が同一であるもの）を目的とするものではない。また補正事項１、４、６、８は、特許法第１７条の２第５項の他の各号に該当するものでもない。したがって、補正事項１、４、６、８は、特許法第１７条の２第５項の規定に適合するものではない。
　（４）小括
　したがって、本件補正は、特許法第１７条の２第５項の規定に違反するので、同法第１５９条第１項において読み替えて準用する同法第５３条第１項の規定により却下すべきものである。
第３　本願発明について
　本件補正は上記のとおり却下されたので、本願の請求項１−３に係る発明は、平成２７年９月２８日付けの手続補正書により補正された、特許請求の範囲の請求項１−３に記載された事項により特定されるとおりのものであるところ、その請求項１に係る発明（以下、「本願発明」という）は、上記第２の１．において記載した以下のとおりのものである（記号Ａ〜Ｂ１−３は分説するため当審で付した）。
「【請求項１】
Ａ　始動条件の成立に基づいて抽選を行う抽選手段と、
Ｂ　所定の表示手段において図柄を変動表示させた後に該図柄を停止表示させるとともに、前記抽選の結果を表示可能な表示制御手段と、
Ｃ　前記抽選の結果が大当たりであるときに、前記抽選の結果が大当たりである旨が表示された後に大当たり遊技を実行する大当たり遊技実行手段と、
Ｄ　前記抽選の結果が表示されるよりも前に、前記図柄の変動表示と停止表示とが行われる期待演出が複数回行われる連続期待演出の実行判定を行う連続期待演出実行判定手段と、
　を備え、
Ｂ１　前記表示制御手段は、
　　前記期待演出が行われているときに前記抽選の結果が大当たりである可能性がある旨を示唆する示唆演出を行いうる示唆演出実行手段を有し、
　前記示唆演出には、前記抽選の結果が大当たりである可能性が異なる複数の示唆演出態様が含まれており、
Ｂ１−１　前記示唆演出実行手段は、
　前記連続期待演出における一の期待演出において、前記抽選の結果が大当たりである可能性を示す第１示唆演出を行う第１示唆演出実行手段、及び
Ｂ１−２　前記連続期待演出における前記一の期待演出において前記第１示唆演出が行われたときに、該一の期待演出の後に行われる他の期待演出において、前記抽選の結果が大当たりである可能性が前記第１示唆演出と同じ又は該第１示唆演出よりも高い第２示唆演出を行う第２示唆演出実行手段を有し、
Ｂ１−３　前記第１示唆演出が行われた前記一の期待演出の後の他の期待演出において前記抽選の結果が大当たりである可能性が前記第１示唆演出と同じ又は該第１示唆演出よりも高い第２示唆演出を行うといった一連の演出を、前記期待演出が連続して行われる連続期待演出の範囲において所定の上限回数まで行なうことが可能であるとともに、該上限回数が前記抽選の結果が大当たりであるときとはずれであるときとで異なるように構成されてなる
　ことを特徴とする遊技機。」
　１．先願明細書等
　（１）先願明細書等に記載された発明
　原査定の拒絶の理由において提示された、本願の出願遡及日前に出願された特願２００７−７４６２２号（特開２００８−２２９１２０号公報参照；以下、「先願」という）の願書に最初に添付した明細書、特許請求の範囲又は図面（以下、「先願明細書等」という）には以下の記載がある。（下線は当審にて付した。以下、同じ）
　（ア）　「【０００７】
　本発明（１）は、遊技球が入球可能な始動口（特図始動口２１１０）と、
　非特別遊技時に、識別情報（
装飾図柄
の変動表示及び停止表示
するための
演出表示装置２１４０
と
　開状態と閉状態を採り得る可変入賞口（大入賞口２１２０）と、
　前記始動口（
特図始動口２１１０
への遊技球の入球に基づき、遊技内容決定乱数を取得する
乱数取得判定実行手段１１２０
と、
　
前記乱数に基づき、前記
装飾図柄
の変動態様及び停止態様を決定する、
装図表示内容決定手段２１５３ａ−１
と、
　前記乱数に基づき、前記予告情報を表示させるか否かを判定すると共に、表示させる場合には前記予告情報の表示内容を決定する、予告情報表示可否判定・内容決定手段と（予告表示可否決定・内容決定手段２１５３ｃ−１）、
　非特別遊技時に、前記識別情報（装飾図柄）の変動開始条件を充足している場合、前記識別情報表示内容決定手段（装図表示内容決定手段２１５３ａ−１）により決定された表示内容に従い、前記演出表示部（
演出表示装置２１４０
で前記
装飾図柄
を
変動表示した後に
停止態様を表示する、
装飾図柄表示制御手段２１５３ａ
と
　
前記
装飾図柄
が変動表示中に、
演出表示装置２１４０
で
表示するよう制御する、
予告表示制御手段２１５３ｃ
と、
　
前記
装飾図柄
の前記停止態様が所定態様である場合、前記
大入賞口２１２０
を
開状態にする特別遊技を実行するための
特別遊技制御手段１１７０
と
を有
　
前記
装図表示内容決定手段２１５３ａ−１
は、前記
装飾図柄
の変動態様として、前記
装飾図柄
の変動と仮停止を一セットとする擬似変動を複数回実行する擬似連続変動態様を選択可能であり
　前記予告情報表示可否判定・内容決定手段（予告表示可否決定・内容決定手段２１５３ｃ−１）は、
複数の予告表示が時間経過に伴って段階的に発展し得るステップアップ予告
　
前記
予告表示制御手段２１５３ｃ
は、前記
装図表示内容決定手段２１５３ａ−１
が前記擬似連続変動態様を選択し
所定条件下で、前記擬似連続変動態様を構成する前記複数回の擬似変動毎に、
ステップアップ予告を表示するよう制御する
ことを特徴とするパチンコ遊技機
　（イ）　「【００２９】
　ここで、
遊技制御手段１１００は
乱数取得判定実行手段１１２０と
を有している
　（ウ）　「【００４０】
　次に、
特別遊技制御手段１１７０は
条件判定手段１１７１と、
特別遊技実行手段１１７２と
を有し
　（エ）　「【００４９】
　次に、
表示制御手段２１５３は、
装飾図柄表示制御手段２１５３ａと
予告表示制御手段２１５３ｃと
を有し
 【００５０】
　ここで、
装飾図柄表示制御手段２１５３ａは、
装図表示内容決定手段２１５３ａ−１
を有し
　（オ）　「【００５６】
　ここで、フローチャートの説明をする前に、本最良形態に係るパチンコ遊技機が有する各種演出機能と、当該演出機能に関連した主なパラメータを説明する。
【００５７】
《ステップアップ予告》
　
ステップアップ予告は
より先の段階（本最良形態では最大で第四段階）まで予告が発展すると、特別遊技への期待度が高まるように構成されている
【００５８】
《擬似連続ステップアップ予告》
　擬似連続ステップアップ予告は、
装飾図柄の擬似連続変動の際、各擬似変動毎に、
ステップアップ予告を行う
◎関連パラメータ
・
ＳＨｍａｘ値：当該変動においてステップアップ予告がどの段階まで発展するのかを示すパラメータ（１〜４）
　（カ）　「【００６９】
　次に、図８は、図４におけるステップ１４００のサブルーチンに係る、特別図柄表示処理のフローチャートである。・・・
【００７３】
・・・そして、ステップ１４１７で、
遊技制御手段１１００は、抽選結果が当たりか否かを判定する。
　（キ）　「【００７６】
　次に、図１０は、図４におけるステップ１５００のサブルーチンに係る、特別遊技作動条件判定処理のフローチャートである。まず、ステップ１５０２で、
条件判定手段１１７１は、
当たりフラグがオンであるか否かを判定する。
条件判定手段１１７１は、
特別遊技移行許可フラグをオンにする
【００７７】
　次に、図１１は、図４でのステップ１６００のサブルーチンに係る、特別遊技実行処理のフローチャートである。まず、ステップ１６０２で、
特別遊技実行手段１１７２は、
特別遊技移行許可フラグがオンであるか否かを判定する。
特別遊技実行手段１１７２は、
特別遊技実行フラグをオンにする。
【００７８】
　次に、ステップ１６１２で、特別遊技実行手段１１７２は、フラグ一時記憶手段１１９１ａを参照し、ラウンド継続フラグがオンであるか否か、換言すれば、当該ラウンドが途中であるか否かを判定する。ステップ１６１２でＹｅｓの場合、即ち、当該ラウンドが途中である場合、以下で詳述するステップ１６１４〜１６２２の処理を行うことなく、ステップ１６２３に移行する。他方、ステップ１６１２でＮｏの場合、即ち、当該ラウンドの開始直前である場合、まず、ステップ１６１４で、特別遊技実行手段１１７２は、特別遊技用タイマ１１７３ａをゼロクリアすると共に所定値（例えば、通常当たりに基づく特別遊技であれば３０秒、突然確率変動当たりや突然時間短縮当たりに基づく特別遊技であれば０．８秒）をセットする。次に、ステップ１６１６で、特別遊技実行手段１１７２は、特別遊技関連情報一時記憶手段１１９１ｃ中の入賞球カウンタをゼロクリアする。そして、ステップ１６１８で、特別遊技実行手段１１７２は、特別遊技関連情報一時記憶手段１１９１ｃ中のラウンド数カウンタに１を加算する。尚、特別遊技関連情報一時記憶手段１１９１ｃに記憶されているラウンド数は、特別遊技開始直後（初期値）は０であり、以後ラウンドを重ねていく毎に１ずつインクリメントされる。次に、ステップ１６２０で、特別遊技実行手段１１７２は、フラグ一時記憶手段１１９１ａ中のラウンド継続フラグをオンにする。そして、ステップ１６２２で、
特別遊技実行手段１１７２は、
大入賞口２１２０を開放し
　（ク）　「【０１４２】
　次に、図面を参照しながら、本発明に係るパチンコ遊技機の作用について説明する。まず、図１を参照しながら一般的な遊技の流れを説明すると、遊技者がハンドルを時計回りに捻ることにより、遊技球が、遊技領域内に放出される。放出された当該遊技球は、釘や風車等の障害物に衝突を繰り返しながら下方に落下する。そして、当該遊技球が特図始動口２１１０に入球すると、特別図柄表示装置２１３０内の特図表示部２１３１上で特別図柄が変動を開始する一方、演出表示装置２１４０内の装図表示部２１４１上で装飾図柄が前記特別図柄とシンクロして変動を開始する。そして、所定時間経過後、
変動していた
装飾図柄が
停止する
際、
停止図柄が特定態様である場合（例えば「７７７」）
大入賞口２１２０が
開状態となる特別遊技が実行される。
　（ケ）　「【０１７０】
《非滞在モード＋ステップアップ擬似連続変動（パターン２）》
　図４５は、非滞在モード下でステップアップ擬似連続変動（パターン２）が実行されている場合の表示内容を示した図である。尚、
装飾図柄の擬似連続変動回数として「３回」、ステップアップ予告として「ＳＨｍａｘ値＝３」が内部決定されている
【０１７１】
　そこで本例を説明すると、「パターン２」は、装飾図柄の擬似連続変動の２回目の擬似変動の際、１回目の擬似変動の際に表示されたステップアップ予告を当初（２回目の擬似変動の当初）からＴＨ予告として固定的に表示すると共に、当該ＴＨ予告を超える予告をそれ以後に表示する、というパターンである。換言すれば、前述の滞在モードα１における複数回に亘る変動を、一変動で擬似的に行うパターンである。
【０１７２】
　まず、図４５（ａ−１）は、
装飾図柄の擬似連続変動（１回目）における、ステップアップ擬似連続変動（「Ｓ２」まで発展）
まず、三列の装飾図柄が変動を開始し
「Ｓ１」が表示され
更に
「Ｓ２」が表示され
装飾図柄が「５７３」で仮停止する
【０１７３】
　次に、図４５（ａ−２）は、
装飾図柄の擬似連続変動（２回目）における、ステップアップ擬似連続変動（ステップアップ予告は変化無し）
仮停止状態にあった「５７３」は再び変動を開始するが、この際、１回目の擬似変動の際に表示されたステップアップ予告（「Ｓ１」〜「Ｓ２」）が
２回目の擬似変動の当初
から固定的に表示されて
、装飾図柄が「７２４」で仮停止
【０１７４】
　最後に、図４５（ａ−３）は、
装飾図柄の擬似連続変動（３回目）における、ステップアップ擬似連続変動（「Ｓ３」まで発展）
仮停止状態にある「７２４」は再び変動を開始するが、
「Ｓ３」が表示され
装飾図柄が「７７７」で停止し大当たりとなる
　（コ）　（ア）の「
特図始動口２１１０への遊技球の入球に基づき、遊技内容決定乱数を取得する乱数取得判定実行手段１１２０
遊技制御手段１１００は、乱数取得判定実行手段１１２０とを有している。
遊技制御手段１１００は、抽選結果が当たりか否かを判定する。
特図始動口２１１０への遊技球の入球に基づき、遊技内容決定乱数を取得する乱数取得判定実行手段１１２０を有し、抽選結果が当たりか否かを判定する遊技制御手段１１００
　（サ）　（ア）の「
装飾図柄の変動表示及び停止表示するための演出表示装置２１４０
演出表示装置２１４０で前記装飾図柄を変動表示した後に停止態様を表示する装飾図柄表示制御手段２１５３ａ
表示制御手段２１５３は、装飾図柄表示制御手段２１５３ａと、予告表示制御手段２１５３ｃとを有し
装飾図柄の変動表示及び停止表示するための演出表示装置２１４０で前記装飾図柄を変動表示した後に停止態様を表示する、装飾図柄表示制御手段２１５３ａと、予告表示制御手段２１５３ｃとを有する表示制御手段２１５３
　（シ）　（ア）の「
前記乱数に基づき、前記装飾図柄の変動態様及び停止態様を決定する、装図表示内容決定手段２１５３ａ−１
前記装図表示内容決定手段２１５３ａ−１は、前記装飾図柄の変動態様として、前記装飾図柄の変動と仮停止を一セットとする擬似変動を複数回実行する擬似連続変動態様を選択可能であり
前記乱数に基づき、前記装飾図柄の変動態様及び停止態様を決定するとともに、前記装飾図柄の変動と仮停止を一セットとする擬似変動を複数回実行する擬似連続変動態様を選択可能である装図表示内容決定手段２１５３ａ−１
　（ス）　（ア）の「
前記装飾図柄の前記停止態様が所定態様である場合、前記大入賞口２１２０を開状態にする特別遊技を実行するための特別遊技制御手段１１７０」
特別遊技制御手段１１７０は、条件判定手段１１７１と、特別遊技実行手段１１７２とを有し
条件判定手段１１７１は、当たりフラグがオンであるか否かを判定する
条件判定手段１１７１は、特別遊技移行許可フラグをオンにする
特別遊技実行手段１１７２は特別遊技実行フラグをオンにする
特別遊技実行手段１１７２は、大入賞口を開放し
変動していた装飾図柄が停止する際、停止図柄が特定態様である場合（例えば「７７７」）、大入賞口２１２０が開状態となる特別遊技が実行される
「当たりフラグがオンであるか否かを判定し、特別遊技移行許可フラグをオンにする条件判定手段１１７１と、特別遊技実行フラグをオンにし、大入賞口２１２０を開放する特別遊技実行手段１１７２を有し、変動していた装飾図柄が停止する際、前記装飾図柄の停止態様が７７７である場合、大入賞口２１２０を開状態にする特別遊技を実行するための特別遊技制御手段１１７０
　（セ）　（ア）の「
演出表示装置２１４０で表示するよう制御する、予告表示制御手段２１５３ｃ
複数の予告表示が時間経過に伴って段階的に発展し得るステップアップ予告
前記予告表示制御手段２１５３ｃは、前記装図表示内容決定手段２１５３ａ−１が前記擬似連続変動態様を選択した場合、所定条件下で、前記擬似連続変動態様を構成する前記複数回の擬似変動毎に、ステップアップ予告を表示するよう制御する
前記装図表示内容決定手段２１５３ａ−１が前記擬似連続変動態様を選択した場合、所定条件下で、前記擬似連続変動態様を構成する前記複数回の擬似変動毎に、複数の予告表示が時間経過に伴って段階的に発展し得るステップアップ予告を演出表示装置２１４０で表示するよう制御する予告表示制御手段２１５３ｃ
　（ソ）　（オ）の段落【００５８】の「
ＳＨｍａｘ値：当該変動においてステップアップ予告がどの段階まで発展するのかを示すパラメータ（１〜４）
「装飾図柄の擬似連続変動回数として「３回」、ステップアップ予告として「ＳＨｍａｘ値＝３」が内部決定されている
擬似連続変動回数として３回、ステップアップ予告が３段階まで発展する
　（タ）　（ケ）の段落【０１７２】の「
装飾図柄の擬似連続変動（１回目）における、ステップアップ擬似連続変動（「Ｓ２」まで発展）
まず、三列の装飾図柄が変動を開始し
「Ｓ１」が表示され
更に「Ｓ２」が表示され
装飾図柄が「５７３」で仮停止する
「装飾図柄の擬似連続変動（１回目）における、「Ｓ２」まで発展するステップアップ擬似連続変動で、まず、三列の装飾図柄が変動を開始し、「Ｓ１」が表示され、更に「Ｓ２」が表示され、装飾図柄が「５７３」で仮停止する
　加えて、これらの処理はステップアップ予告を演出表示装置２１４０で表示するよう制御する予告表示制御手段２１５３ｃで実行されることは明らかである。
　（チ）　さらに、（ケ）の段落【０１７３】の「
装飾図柄の擬似連続変動（２回目）における、ステップアップ擬似連続変動（ステップアップ予告は変化無し）
仮停止状態にあった「５７３」は再び変動を開始するが、この際、１回目の擬似変動の際に表示されたステップアップ予告（「Ｓ１」〜「Ｓ２」）が２回目の擬似変動の当初から固定的に表示されて
装飾図柄が「７２４」で仮停止
装飾図柄の擬似連続変動（３回目）における、ステップアップ擬似連続変動（「Ｓ３」まで発展）
仮停止状態にある「７２４」は再び変動を開始するが
「Ｓ３」が表示され、装飾図柄が「７７７」で停止し大当たりとなる
装飾図柄の擬似連続変動（２回目）における、ステップアップ擬似連続変動（ステップアップ予告は変化無し）で、仮停止状態にあった「５７３」は再び変動を開始するが、この際、１回目の擬似変動の際に表示されたステップアップ予告（「Ｓ１」〜「Ｓ２」）が２回目の擬似変動の当初から固定的に表示されて、装飾図柄が「７２４」で仮停止し、装飾図柄の擬似連続変動（３回目）における、ステップアップ擬似連続変動（「Ｓ３」まで発展）で、仮停止状態にある「７２４」は再び変動を開始するが、「Ｓ３」が表示され、装飾図柄が「７７７」で停止し大当たりとなる
　加えて、これらの処理もステップアップ予告を演出表示装置２１４０で表示するよう制御する予告表示制御手段２１５３ｃで実行されることは明らかである。
　上記（ア）〜（ケ）の記載事項及び上記（コ）〜（チ）の認定事項から、先願明細書等には、次の発明（以下、「先願発明」という。）が開示されていると認める（記号Ａ’〜Ｂ１’−３は分説して本願発明と対比するため当審で付した）。
「Ａ’　特図始動口２１１０への遊技球の入球に基づき、遊技内容決定乱数を取得する乱数取得判定実行手段１１２０を有し、抽選結果が当たりか否かを判定する遊技制御手段１１００（認定事項（コ））と、
Ｂ’　装飾図柄の変動表示及び停止表示するための演出表示装置２１４０で前記装飾図柄を変動表示した後に停止態様を表示する、装飾図柄表示制御手段２１５３ａと、予告表示制御手段２１５３ｃとを有する表示制御手段２１５３（認定事項（サ））と、
Ｃ’　当たりフラグがオンであるか否かを判定し、特別遊技移行許可フラグをオンにする条件判定手段１１７１と、特別遊技実行フラグをオンにし、大入賞口２１２０を開放する特別遊技実行手段１１７２を有し、変動していた装飾図柄が停止する際、前記装飾図柄の停止態様が７７７である場合、大入賞口２１２０を開状態にする特別遊技を実行するための特別遊技制御手段１１７０（認定事項（ス））と、
Ｄ’　前記乱数に基づき、装飾図柄の変動態様及び停止態様を決定するとともに、前記装飾図柄の変動と仮停止を一セットとする擬似変動を複数回実行する擬似連続変動態様を選択可能である装図表示内容決定手段２１５３ａ−１（認定事項（シ））と、
を備え、
Ｂ１’　前記表示制御手段２１５３は、前記装飾図柄が変動表示中に、前記装図表示内容決定手段２１５３ａ−１が前記擬似連続変動態様を選択した場合、所定条件下で、前記擬似連続変動態様を構成する前記複数回の擬似変動毎に、複数の予告表示が時間経過に伴って段階的に発展し得るステップアップ予告を演出表示装置２１４０で表示するよう制御する予告表示制御手段２１５３ｃ（認定事項（セ））を有し、
Ｂ１’−１　予告表示制御手段２１５３ｃは、装飾図柄の擬似連続変動（１回目）における、「Ｓ２」まで発展するステップアップ擬似連続変動において、まず、三列の装飾図柄が変動を開始し、「Ｓ１」が表示され、更に「Ｓ２」が表示され、装飾図柄が「５７３」で仮停止するものであり（認定事項（タ））、
Ｂ１’−２　装飾図柄の擬似連続変動（２回目）における、ステップアップ擬似連続変動（ステップアップ予告は変化無し）において、仮停止状態にあった「５７３」は再び変動を開始するが、この際、１回目の擬似変動の際に表示されたステップアップ予告（「Ｓ１」〜「Ｓ２」）が２回目の擬似変動の当初から固定的に表示されて、装飾図柄が「７２４」で仮停止し、装飾図柄の擬似連続変動（３回目）における、ステップアップ擬似連続変動（「Ｓ３」まで発展）において、仮停止状態にある「７２４」は再び変動を開始するが、「Ｓ３」が表示され、装飾図柄が「７７７」で停止し大当たりとなる、処理を行い（認定事項（チ））、
Ｂ１’−３　擬似連続変動回数として３回、ステップアップ予告が３段階まで発展する（認定事項（ソ））
遊技機。」
　２．対比
　
　本願発明と先願発明とを対比する。
　
　（Ａ）先願発明における「遊技制御手段１１００」は、始動口への入球に基づき、抽選結果が当たりか否かを判定することから、本願発明の「始動条件の成立に基づいて抽選を行う抽選手段」の機能を備えている。
　（Ｂ）先願発明における「表示制御手段２１５３」が有している「装飾図柄表示制御手段２１５３ａ」は、演出表示装置２１４０において図柄を変動表示させた後に停止態様を表示するものであり、先願発明の「演出表示装置２１４０」は本願発明の「所定の表示手段」に相当するから、先願発明の「表示制御手段２１５３」が有している「装飾図柄表示制御手段２１５３ａ」は、本願発明の「表示制御手段」に相当する。
　
　（Ｃ）先願発明における「特別遊技制御手段１１７０」について、「当たりフラグがオンであるかを判定し、特別遊技移行許可フラグ、特別遊技実行フラグをオンにして」いる状態は、抽選の結果が当たりである状態であり、「変動していた装飾図柄が停止する際、前記装飾図柄の停止態様が７７７である場合大入賞口を開状態にする特別遊技を実行する」ことは、装飾図柄の停止態様が７７７である、すなわち、抽選の結果が大当たりである旨が表示された、場合に大当たり遊技を実行するものといえるから、先願発明の「特別遊技制御手段１１７０」は、本願発明の「大当たり遊技実行手段」に相当する。
　（Ｄ）先願発明における「表示制御手段２１５３」が有している「装図表示内容決定手段２１５３ａ−１」について検討する。
　先願発明における「装飾図柄の変動と仮停止を一セットとする擬似変動を複数回実行する擬似連続変動態様」は、本願発明の「図柄の変動表示と停止表示とが行われる期待演出が複数回行われる連続期待演出」に相当する。
　また、先願発明における「装図表示内容決定手段２１５３ａ−１」は、擬似連続変動態様を選択可能である以上、擬似連続変動態様の実行判定を行うことは明らかであり、擬似連続変動態様は抽選の結果が表示される前に行われる以上、擬似連続変動態様を実行するかどうかの判定は抽選の結果が表示されるよりも前に行うことも明らかである。
　そうすると、先願発明における、「装図表示内容決定手段２１５３ａ−１」は、本願発明の「連続期待演出実行判定手段」に相当する。
　（Ｂ１）先願発明における「表示制御手段２１５３」に含まれる「予告表示制御手段２１５３ｃ」について、先願発明における「擬似連続変動態様を構成する複数回の擬似変動毎に」「ステップアップ予告を演出表示装置２１４０で表示するよう制御する」ことが「所定条件下で」行われることは、本願発明の「期待演出が行われているときに」「抽選の結果が大当たりである可能性がある旨を示唆する示唆演出を行いうる」ことに相当するから、先願発明の「予告表示制御手段２１５３ｃ」は、本願発明の「示唆演出実行手段」に相当する。
　次に、先願発明における「予告表示制御手段２１５３ｃ」が行う処理について検討する。
　（Ｂ１−１）先願発明における「装飾図柄の擬似連続変動（１回目）における、「Ｓ２」まで発展するステップアップ擬似連続変動において、まず、三列の装飾図柄が変動を開始し、「Ｓ１」が表示され、更に「Ｓ２」が表示され、装飾図柄が「５７３」で仮停止する」ことは、「装飾図柄の擬似連続変動（１回目）」、「「Ｓ２」まで発展するステップアップ予告」が、それぞれ本願発明の「連続期待演出における一の期待演出」、「抽選の結果が大当たりである可能性を示す第１示唆演出」に相当することから、本願発明の「連続期待演出における一の期待演出において、前記抽選の結果が大当たりである可能性を示す第１示唆演出を行う」ことに相当する。
　また、この場合、先願発明における「予告表示制御手段２１５３ｃ」は、本願発明における「第１示唆演出を行う第１示唆演出実行手段」を備えている。
　（Ｂ１−２）先願発明における「装飾図柄の擬似連続変動（２回目）における、ステップアップ擬似連続変動（ステップアップ予告は変化無し）において、仮停止状態にあった「５７３」は再び変動を開始するが、この際、１回目の擬似変動の際に表示されたステップアップ予告（「Ｓ１」〜「Ｓ２」）が２回目の擬似変動の当初から固定的に表示され」ること、「装飾図柄の擬似連続変動（３回目）における、ステップアップ擬似連続変動（「Ｓ３」まで発展）において、仮停止状態にある「７２４」は再び変動を開始するが、「Ｓ３」が表示され」ることは、本願発明における「連続期待演出における一の期待演出において第１示唆演出が行われたときに、該一の期待演出の後に行われる他の期待演出において、前記抽選の結果が大当たりである可能性が前記第１示唆演出と同じ第２演出を行う」こと、「前記抽選の結果が大当たりである可能性が前記第１示唆演出よりも高い第２示唆演出を行う」こと、に相当する。
　また、この場合、先願発明における「予告表示制御手段２１５３ｃ」は、本願発明における「第２示唆演出を行う第２示唆演出実行手段」を備えている。
　（Ｂ１−３）先願発明における「擬似連続変動回数として３回、ステップアップ予告が３段階まで発展する」について、この場合、先願発明の「装飾図柄の擬似連続変動におけるステップアップ擬似連続変動」を３回行うことになり、これは本願発明における「前記第１示唆演出が行われた前記一の期待演出の後の他の期待演出において前記抽選の結果が大当たりである可能性が前記第１示唆演出と同じ又は該第１示唆演出よりも高い第２示唆演出を行うといった一連の演出」を、「期待演出が連続して行われる連続期待演出の範囲」である３回「において所定の上限回数」である３回「まで行なう」ことに相当する。
　以上のことから、本願発明と先願発明とは、
　（一致点）
「Ａ　始動条件の成立に基づいて抽選を行う抽選手段と、
　Ｂ　所定の表示手段において図柄を変動表示させた後に該図柄を停止表示させるとともに、前記抽選の結果を表示可能な表示制御手段と、
　Ｃ　前記抽選の結果が大当たりであるときに、前記抽選の結果が大当たりである旨が表示された後に大当たり遊技を実行する大当たり遊技実行手段と、
　Ｄ　前記抽選の結果が表示されるよりも前に、前記図柄の変動表示と停止表示とが行われる期待演出が複数回行われる連続期待演出の実行判定を行う連続期待演出実行判定手段と、
　を備え、
　Ｂ１　前記表示制御手段は、
　前記期待演出が行われているときに前記抽選の結果が大当たりである可能性がある旨を示唆する示唆演出を行いうる示唆演出実行手段を有し、
　前記示唆演出には、前記抽選の結果が大当たりである可能性が異なる複数の示唆演出態様が含まれており、
　Ｂ１−１　前記示唆演出実行手段は、
　前記連続期待演出における一の期待演出において、前記抽選の結果が大当たりである可能性を示す第１示唆演出を行う第１示唆演出実行手段、及び
　Ｂ１−２　前記連続期待演出における前記一の期待演出において前記第１示唆演出が行われたときに、該一の期待演出の後に行われる他の期待演出において、前記抽選の結果が大当たりである可能性が前記第１示唆演出と同じ又は該第１示唆演出よりも高い第２示唆演出を行う第２示唆演出実行手段を有し、
　Ｂ１−３’　前記第１示唆演出が行われた前記一の期待演出の後の他の期待演出において前記抽選の結果が大当たりである可能性が前記第１示唆演出と同じ又は該第１示唆演出よりも高い第２示唆演出を行うといった一連の演出を、前記期待演出が連続して行われる連続期待演出の範囲において所定の上限回数まで行なうことが可能である、
　遊技機。」
という点で一致する。
一方、両者は以下の点で一応相違する。
　（相違点）
　示唆演出実行手段において、本願発明は「該上限回数が前記抽選の結果が大当たりであるときとはずれであるときとで異なるように構成されている」のに対して、先願発明はそのような特定がなされていない点（Ｂ１−３）。
　３．相違点に対する判断
　上記相違点について判断する。
　パチンコ機において、一連の演出を複数回行う演出において、大当たりの場合の演出の上限回数と、ハズレの場合の演出の上限回数を異ならせるようにし、特定回数までの演出がなされた場合、ハズレの場合の演出の上限回数を超え、１００パーセントの確率で大当たりとなることを示唆することは、大当たりの可能性の示唆を行う遊技機のステップアップ予告演出において周知技術にすぎない（例えば特開２００５−２３７８５９号の図８及び段落【００５９】−【００６１】において、段落【００５９】の「リーチハズレ時の変動パターン判定用の乱数振分表」という記載に関し、図８（Ａ）から「通常→晴→雲→雨→雪」という変動パターンに割り振られる乱数は０個であることが看取できること、段落【００５９】の「図８（Ｂ）は、・・・ステップアップ予告時の大当り時の変動パターン判定用の乱数振分表を示す一覧表図」に関し、【００６０】の「４０個の乱数が「通常→晴→雲→雨→雪」という変動パターン１３に振り分けられる」という記載、段落【００６１】の「「通常→晴→雲→雨→雪」という変動パターンの大当り信頼度は１００％となる」という記載や、特開２００１−６８０号公報の図１９（ａ）−（ｆ）及び段落【０１６０】−【０１６１】において、「期待値ゲージ６ｇは、５段階のレベル表示が可能な棒グラフ状のバーゲージであり、本実施例では、再変動表示が行われるごとに１つずつ段階的にバーの長さを長くする表示を行う。・・・４段階分表示された場合には大当たり期待度が約５０パーセント、５段階分表示された場合には大当たり期待度が１００パーセントとなる」という記載を参照。４段階分表示された場合はハズレとなる場合があるが、５段階分表示された場合は大当たり期待度が１００パーセントとなる以上、大当りの場合の演出の上限回数は５回、ハズレの場合の演出の上限回数は４回、であるといえる）。
　このような周知技術を先願発明の示唆演出実行手段に採用するか否かは単なる設計的事項といえ、新たな効果を奏するものではない。
　そうすると、本願発明と先願発明との相違点は、課題解決のための具体化手段における微差であって、先願明細書等に記載されているに等しい事項ということができ、本願発明と先願発明は実質的に同一であるといえる。
　４．審判請求人の主張について
　審判請求人は平成２７年９月２８日付け審判請求書の２．本願発明が特許されるべき理由において、次の主張をしている。
「本願出願人は、請求項１において、
「前記第１示唆演出が行われた前記一の期待演出の後の他の期待演出において前記抽選の結果が大当たりである可能性が前記第１示唆演出と同じ又は該第１示唆演出よりも高い第２示唆演出を行うといった一連の演出を、前記期待演出が連続して行われる連続期待演出の範囲において所定の上限回数まで行なうことが可能であるとともに、該上限回数が前記抽選の結果が大当たりであるときとはずれであるときとで異なるように構成されてなる」
の記載を追加する補正を行いました。
 遊技者は、はずれであるときの実行回数の上限を超えて連続期待演出が実行されることを強く願うようになります。これにより、単に連続期待演出の実行回数が増えれば期待度が高まる遊技機と異なり、一定の回数（はずれであるときの上限）を超えると大当たりとなるため、遊技者は、連続期待演出が実行して欲しいと期待する回数に明確な回数をもって演出を楽しむことが可能になります。
　この点、出願１に記載された事項は、審査官殿がご指摘されたとおり、装飾図柄の擬似連続変動の際、「第一回目の擬似変動の際に、Ｓ１までしか発展しないステップアップ予告が表示され、二回目の擬似変動の際に、Ｓ２まで発展するステップアップ予告が表示され、三回目の擬似変動の際に、Ｓ３まで発展するステップアップ予告が表示される」（同文献の段落００５８）といったものにすぎず、抽選の結果が大当たりであるときとはずれであるときとでステップアップされる上限が異なる旨の記載はありません。
　なお、出願１の段落００５７には「このように、より先の段階（本最良形態では最大で第四段階）まで予告が発展すると、特別遊技への期待度が高まるように構成されている」との記載はあるものの、第四段階まで発展すると特別遊技の期待度が高まるといっただけで、抽選の結果がはずれである場合には第四段階まで発展しないといったことについては記載されていません。」
　しかしながら、上記３．のとおり、大当たりの場合の演出の上限回数と、ハズレの場合の演出の上限回数を異ならせるようにすることで、一定回数の演出がなされた場合、ハズレの場合の演出の上限回数を超えたことにより、１００パーセントの確率で大当たりとなることを示唆することは、大当たりである可能性の示唆を行う遊技機のステップアップ予告を行う技術に関する周知技術であり、当該周知技術においても、抽選の結果がハズレの場合、演出は大当たり信頼度ないし大当たり期待度が１００％となる回数まで行われることはない。
　以上のとおりであるから、当該主張は採用できない。
　５．むすび 
　以上のとおり、本願発明と先願発明は、実質的に同一の発明であり、しかも、本願発明と先願発明の発明者が同一であるとはいえず、また、本願の出願遡及日時点において、その出願人が先願の出願人と同一であるともいえないので、特許法第２９条の２の規定により特許を受けることができない。
　したがって，その余の請求項について検討するまでもなく、本願は拒絶されるべきものである。
　よって，結論のとおり審決する。